(57)【要約】【課題】音通過孔に残った水分を容易に外部に排出できるようにする。【解決手段】発音または集音する音処理部３の上に、音を通過させる音通過孔５を有するカバー４を設けた音通過部構造であって、音通過孔５の中間部の径より上端側を大径部５１に形成した。具体的には、大径部５１を曲面により形成した。【選択図】図３
2010118827.tif 000002
【特許請求の範囲】
【請求項１】
発音または集音する音処理部の上に、音を通過させる音通過孔を有するカバーを設けた音通過部構造であって、
前記音通過孔の中間部の径より上端側を大径部に形成したことを特徴とする音通過部構造。
【請求項２】
前記大径部を曲面により形成したことを特徴とする請求項１に記載の音通過部構造。
【請求項３】
前記大径部を傾斜面により形成したことを特徴とする請求項１に記載の音通過部構造。
【請求項４】
前記音通過孔の下端側も大径部に形成したことを特徴とする請求項１から３のいずれか一項に記載の音通過部構造。
【請求項５】
発音または集音する音処理部の上に、音を通過させる音通過孔を有するカバーを設けた音通過部構造であって、
前記音通過孔の内周面に界面活性剤を塗布したことを特徴とする音通過部構造。
【請求項６】
発音または集音する音処理部の上に、音を通過させる音通過孔を有するカバーを設けた音通過部構造であって、
前記カバーを、撥水性を有する樹脂により形成したことを特徴とする音通過部構造。
【請求項７】
前記音処理部とカバーの間に膜を設け、
前記膜とカバーの間に隙間を形成したことを特徴とする請求項１から６のいずれか一項に記載の音通過部構造。
【請求項８】
請求項１から７のいずれか一項に記載の音通過部構造を筐体に備えることを特徴とする電子機器。
【発明の詳細な説明】
【技術分野】
【０００１】
本発明は、音処理部の上に音通過孔を有するカバーを設けた音通過部構造と、その音通過部構造を備える電子機器に関する。
【背景技術】
【０００２】
携帯電話において、スピーカの上部に、孔を有するスピーカカバーを設けている（例えば特許文献１参照）。
【特許文献１】特開平１１−３１３１３８号公報
【発明の開示】
【発明が解決しようとする課題】
【０００３】
特許文献１のように、スピーカの上部にスピーカカバーを設けたものにおいて、防水を図る場合は、スピーカカバーの下面に防水膜を設けているが、スピーカカバーの孔から水が入った場合にスピーカカバーの孔には表面張力が働いてしまうため、スピーカカバーの孔に水が溜まってしまう場合があり音の出力に障害が出てしまう。
このような問題はマイクの場合も同様である。
【０００４】
本発明の課題は、音通過孔に残った水分を容易に外部に排出できるようにすることである。
【課題を解決するための手段】
【０００５】
以上の課題を解決するため、請求項１に記載の発明は、発音または集音する音処理部の上に、音を通過させる音通過孔を有するカバーを設けた音通過部構造であって、前記音通過孔の中間部の径より上端側を大径部に形成したことを特徴とする。
【０００６】
請求項２に記載の発明は、請求項１に記載の音通過部構造であって、前記大径部を曲面により形成したことを特徴とする。
【０００７】
請求項３に記載の発明は、請求項１に記載の音通過部構造であって、前記大径部を傾斜面により形成したことを特徴とする。
【０００８】
請求項４に記載の発明は、請求項１から３のいずれか一項に記載の音通過部構造であって、前記音通過孔の下端側も大径部に形成したことを特徴とする。
【０００９】
請求項５に記載の発明は、発音または集音する音処理部の上に、音を通過させる音通過孔を有するカバーを設けた音通過部構造であって、前記音通過孔の内周面に界面活性剤を塗布したことを特徴とする。
【００１０】
請求項６に記載の発明は、発音または集音する音処理部の上に、音を通過させる音通過孔を有するカバーを設けた音通過部構造であって、前記カバーを、撥水性を有する樹脂により形成したことを特徴とする。
【００１１】
請求項７に記載の発明は、請求項１から６のいずれか一項に記載の音通過部構造であって、前記音処理部とカバーの間に膜を設け、前記膜とカバーの間に隙間を形成したことを特徴とする。
【００１２】
請求項８に記載の発明は、請求項１から７のいずれか一項に記載の音通過部構造を筐体に備える電子機器を特徴とする。
【発明の効果】
【００１３】
本発明によれば、音通過孔内に残った水分を容易に外部に排出できる。
【発明を実施するための最良の形態】
【００１４】
以下、図を参照して本発明を実施するための最良の形態を詳細に説明する。
（実施形態１）
図１は本発明を適用した電子機器の一実施形態の構成として携帯電話を示すもので、図２はその携帯電話の分解状態、図３は図１の音通過部断面を拡大して示したものであり、１は第１の筐体、２は第２の筐体、３は音処理部であるスピーカ、４はスピーカカバー、５は音通過孔、６は防塵膜、７は両面接着テープである。
【００１５】
第１の筐体１と第２の筐体２はヒンジ部を介して図示のように折り畳み可能に結合され、図示例では、第２の筐体２に音処理部である発音するスピーカ３が内蔵されている。このスピーカ３は、例えば表面に振動防水膜を有する防水タイプのもので、そのスピーカ３の上に位置する第２の筐体２と一体のスピーカカバー４には多数の音通過孔５が形成されている。また、スピーカカバー４の内面には、音通過孔５の下端に位置する防塵膜６が接着剤により接着して設けられるとともに、スピーカ３が周囲で両面接着テープ７を介して接着されている。
【００１６】
図４は音通過孔５を拡大して示したもので、図示のように、音通過孔５の中間部よりも上端側が曲面による大径部５１に形成されている。
【００１７】
以上、実施形態の携帯電話によれば、スピーカカバー４の音通過孔５に外部から水が浸入した場合、その音通過孔５の中間部よりも外部側が曲面の大径部５１によって水の表面張力を発生し難くしていることから、筐体１・２を持って振ることで、音通過孔５内に浸入して残った水分を容易に外部に排出することができる。
【００１８】
従って、音通過孔５の機能を確保して、スピーカ３の外部への音圧を確保することができる。
【００１９】
（実施形態２）
図５は実施形態２を示すもので、前述した実施形態１と同様、４はスピーカカバー、５は音通過孔であって、５２は傾斜面による大径部である。
【００２０】
すなわち、実施形態２では、図示のように、音通過孔５の中間部よりも上端側が傾斜面による大径部５２に形成されている。
【００２１】
以上、実施形態２の音通過部構造によれば、スピーカカバー４の音通過孔５に外部から水が浸入した場合、その音通過孔５の中間部よりも外部側が傾斜面の大径部５２によって水の表面張力を発生し難くしていることから、前記筐体１・２を持って振ることで、音通過孔５内に浸入して残った水分を容易に外部に排出することができる。
【００２２】
（実施形態３）
図６は実施形態３を示すもので、前述した実施形態１と同様、４はスピーカカバー、５は音通過孔、５１は曲面による大径部である。
【００２３】
すなわち、実施形態３では、図示のように、音通過孔５の中間部よりも上端側及び下端側ともに曲面による大径部５１に形成されている。
【００２４】
以上、実施形態３の携帯電話によれば、スピーカカバー４の音通過孔５に外部から水が浸入した場合、その音通過孔５の外部側及び内部側ともに曲面の大径部５１によって水の表面張力を発生し難くしていることから、前記筐体１・２を持って振ることで、音通過孔５内に浸入して残った水分を容易に外部に排出することができる。
【００２５】
（実施形態４）
図７は実施形態４を示すもので、前述した実施形態１と同様、４はスピーカカバー、５は音通過孔、５１は曲面による大径部である。
【００２６】
すなわち、実施形態４では、図示のように、音通過孔５の中間部よりも上半部及び下半部ともに曲面による大径部５１に形成されていて、音通過孔５の全体が上下対称の凸状曲面で上半部及び下半部ともに大径部５１となっている。
【００２７】
以上、実施形態４の携帯電話によれば、スピーカカバー４の音通過孔５に外部から水が浸入した場合、その音通過孔５の中間部よりも外部側半部及び内部側半部ともに曲面の大径部５１によって水の表面張力を発生し難くしていることから、前記筐体１・２を持って振ることで、音通過孔５内に浸入して残った水分を容易に外部に排出することができる。
【００２８】
（実施形態５）
図８は実施形態５を示すもので、前述した実施形態２と同様、４はスピーカカバー、５は音通過孔、５２は傾斜面による大径部である。
【００２９】
すなわち、実施形態５では、図示のように、音通過孔５の中間部よりも上端側及び下端側ともに傾斜面による大径部５２に形成されている。
【００３０】
以上、実施形態５の音通過部構造によれば、スピーカカバー４の音通過孔５に外部から水が浸入した場合、その音通過孔５の中間部よりも外部側及び内部側ともに傾斜面の大径部５２によって水の表面張力を発生し難くしていることから、前記筐体１・２を持って振ることで、音通過孔５内に浸入して残った水分を容易に外部に排出することができる。
【００３１】
（実施形態６）
図９は実施形態６を示すもので、前述した実施形態２と同様、４はスピーカカバー、５は音通過孔、５２は傾斜面による大径部である。
【００３２】
すなわち、実施形態６では、図示のように、音通過孔５の中間部よりも上半部及び下半部ともに傾斜面による大径部５２に形成されていて、音通過孔５の全体が上下対称の凸状傾斜面で上半部及び下半部ともに大径部５１となっている。
【００３３】
以上、実施形態６の音通過部構造によれば、スピーカカバー４の音通過孔５に外部から水が浸入した場合、その音通過孔５の中間部よりも外部側半部及び内部側半部ともに傾斜面の大径部５２によって水の表面張力を発生し難くしていることから、前記筐体１・２を持って振ることで、音通過孔５内に浸入して残った水分を容易に外部に排出することができる。
【００３４】
（実施形態７）
図１０は実施形態７を示すもので、前述した実施形態２と同様、４はスピーカカバー、５は音通過孔、５２は傾斜面による大径部であって、５３は界面活性剤塗布層である。
【００３５】
すなわち、実施形態７では、図示例において、音通過孔５の中間部よりも上端側が傾斜面による大径部５２に形成されていて、その大径部５２を含んで音通過孔５の全体に界面活性剤を塗布することにより界面活性剤塗布層５３が形成されている。
【００３６】
以上、実施形態７の音通過部構造によれば、スピーカカバー４の音通過孔５に外部から水が浸入した場合、その音通過孔５の全体が界面活性剤塗布層５３によって水の表面張力を抑える（弱める）ことから、前記筐体１・２を持って振ることで、音通過孔５内に浸入して残った水分を容易に外部に排出することができる。
【００３７】
さらに、実施形態７では、音通過孔５の中間部よりも外部側が傾斜面の大径部５２となっていることから、水の排出機能が高められる。
【００３８】
なお、図示例では、音通過孔５の上端側を傾斜面による大径部５２としたが、そのような大径部を持たない音通過孔５の全体に界面活性剤塗布層５３を形成してもよい。また、前述した実施形態１、３〜６のような大径部５１・５２を有する音通過孔５の全体に界面活性剤塗布層５３を形成してもよく、そうすれば水の排出機能が高められる。
【００３９】
（実施形態８）
図１１は実施形態８を示すもので、前述した実施形態１、４と同様、４はスピーカカバー、５は音通過孔、５１は曲面による大径部、６は防塵膜であって、８はスペーサ、９は隙間である。
【００４０】
すなわち、実施形態８では、図示のように、スピーカカバー４の内面には、音通過孔５の下方に位置する防塵膜６が周囲のスペーサ８を介して接着剤により接着して設けられていて、スピーカカバー４の音通過孔５を有する部分と防塵膜６との間に隙間９が形成されている。
【００４１】
以上、実施形態８の音通過部構造によれば、スピーカカバー４の音通過孔５に外部から水が浸入した場合、その音通過孔５の下方の防塵膜６との間の隙間９にも水が浸入することから、前記筐体１・２を持って振ることで、隙間９に浸入して残った水と一緒に音通過孔５内に浸入して残った水分を押し流して容易に外部に排出することができる。
【００４２】
さらに、実施形態８では、音通過孔５の中間部よりも外部側半部及び内部側半部ともに曲面の大径部５１となっていることから、水の排出機能が高められる。
【００４３】
なお、図示例では、音通過孔５の上半部及び下半部ともに曲面による大径部５１としたが、そのような大径部を持たない音通過孔５としてもよい。また、前述した実施形態１、３〜６のような大径部５１・５２を有する音通過孔５としてもよく、そうすれば水の排出機能が高められる。
【００４４】
（実施形態９）
実施形態９は、前記スピーカカバー４を、撥水性を有する樹脂材料により形成したものである。
【００４５】
以上、実施形態９の音通過部構造によれば、スピーカカバー４の音通過孔５に外部から水が浸入した場合、その音通過孔５を含むスピーカカバー４自体が有する表面の撥水性によって水をはじくことから、前記筐体１・２を持って振ることで、音通過孔５内に浸入して残った水分を容易に外部に排出することができる。
【００４６】
なお、このように、撥水性を有する樹脂材料によりスピーカカバー４を形成する場合、音通過孔５には、前述した実施形態１〜６のような大径部５１・５２を形成しなくてもよいが、大径部５１・５２を形成してもよく、そうすれば水の排出機能が更に高められる。
【００４７】
（変形例）
なお、以上の実施形態においては、筐体と一体のスピーカカバーとしたが、筐体とは別体のスピーカカバーであってもよい。
また、実施形態において、音処理部として発音するスピーカとしたが、音処理部は集音するマイクであってもよい。
さらに、実施形態では、携帯電話としたが、本発明はこれに限定されるものではなく、カメラ、ＰＤＡ、ノートパソコン、ウェアラブルパソコン、電卓、電子辞書などのスピーカ、マイクを有する機器全てに用いることができる。
【００４８】
また、撥水性を有する樹脂材料により形成したカバーの音通過孔の一部、例えば上端部等に界面活性剤を塗布して界面活性剤塗布層を形成してもよい。
さらに、防塵膜に代えて防水膜を設けてもよく、その他、具体的な細部構造等についても適宜に変更可能であることは勿論である。
【図面の簡単な説明】
【００４９】
【図１】本発明を適用した電子機器の一実施形態の構成を示すもので、音通過部を断面で示した携帯電話の側面図である。
【図２】図１の携帯電話の分解斜視図である。
【図３】図１の音通過部断面の拡大図である。
【図４】図３の音通過孔の拡大図である。
【図５】実施形態２を示すもので、音通過孔の拡大断面図である。
【図６】実施形態３を示すもので、音通過孔の拡大断面図である。
【図７】実施形態４を示すもので、音通過孔の拡大断面図である。
【図８】実施形態５を示すもので、音通過孔の拡大断面図である。
【図９】実施形態６を示すもので、音通過孔の拡大断面図である。
【図１０】実施形態７を示すもので、音通過孔の拡大断面図である。
【図１１】実施形態８を示すもので、音通過部の拡大断面図である。
【符号の説明】
【００５０】
２  筐体
３  音処理部
４  カバー
５  音通過孔
５１  曲面による大径部
５２  傾斜面による大径部
５３  界面活性剤塗布層
６  膜
７  両面接着テープ
８  スペーサ
９  隙間
【図１】
2010118827.tif 000003
【図２】
2010118827.tif 000004
【図３】
2010118827.tif 000005
【図４】
2010118827.tif 000006
【図５】
2010118827.tif 000007
【図６】
2010118827.tif 000008
【図７】
2010118827.tif 000009
【図８】
2010118827.tif 000010
【図９】
2010118827.tif 000011
【図１０】
2010118827.tif 000012
【図１１】
2010118827.tif 000013